(57)【要約】【課題】貼り付けた後に剥がしても、前に貼り付けた位置が分かるよう構成した粘着シートを提供すること。【解決手段】本発明による粘着シート１０は、シート基材１２と、このシート基材の一方の面の少なくとも一部に形成された再剥離可能なシート粘着剤層１４と、シート粘着剤層があるシート基材の面の一部に剥離可能に付着されたマーカー基材１６と、マーカー基材の、シート基材とは反対側の面に形成されたマーカー粘着剤層１８とを備え、被着面にシート基材を貼り付けた後、シート基材を被着面から剥離した場合に、マーカー基材が前記被着面に残るように構成したことを特徴としている。【選択図】図２
2014028897.tif 000002
【特許請求の範囲】
【請求項１】
シート基材と、
前記シート基材の一方の面の少なくとも一部に形成された再剥離可能なシート粘着剤層と、
前記シート粘着剤層がある前記シート基材の面の一部に剥離可能に付着されたマーカー基材と、
前記マーカー基材の、前記シート基材とは反対側の面に形成されたマーカー粘着剤層と
を備え、
被着面に前記シート基材を貼り付けた後、前記シート基材を前記被着面から剥離した場合に、前記マーカー基材が前記被着面に残るように構成したことを特徴とする、粘着シート。
【請求項２】
前記マーカー基材が前記シート粘着剤層を介して前記シート基材に付着されており、前記被着面に対する前記マーカー粘着剤層の付着力が前記マーカー基材に対する前記シート粘着剤層の付着力よりも大きいことを特徴とする、請求項１に記載の粘着シート。
【請求項３】
前記マーカー基材に隣接する前記シート基材及び前記シート粘着剤層の部分が、表面側から裏面側を視認することができるようになっていることを特徴とする、請求項１又は２に記載の粘着シート。
【発明の詳細な説明】
【技術分野】
【０００１】
本発明は、粘着シートに関し、特に、貼り付けた後に剥がしても、前に貼り付けた位置が分かる粘着シートに関する。
【背景技術】
【０００２】
従来から、掲示やメモに使用される粘着シートとしては、下記の特許文献１に記載されているような再剥離・再貼付性粘着剤付きの粘着シートが広く用いられている。
【０００３】
この粘着シートは、その表面にメモ等を書き込むことができ、また、資料や参考書等に貼り付けた後、剥がすことができ、その後に、剥がした粘着シートを再度貼り付けることもできる。
【先行技術文献】
【特許文献】
【０００４】
【特許文献１】特開平９−１３４１３１号公報
【発明の概要】
【発明が解決しようとする課題】
【０００５】
上述したような従来の再剥離・再貼付可能な粘着シートは非常に便利なものであるが、剥がした後に、剥がす前と同じ位置に粘着シートを正確に貼り直すことが困難であった。例えば、社内資料の重要箇所に粘着シートを貼り、そこに個人的な意見等を書き込んでおいたが、その資料をコピーして他の者に配布することが必要となったような場合である。このような場合には、粘着シートを剥がしてコピーした後、再度、粘着シートを元の位置に正確に貼りたいことがしばしばあるが、従来の粘着シートでは、剥がした後には元の貼付位置が不明となってしまうため、貼り直しに手間がかかったり、困難であったりした。
【０００６】
そこで、本発明の目的は、貼り付けた後に剥がしても、前に貼り付けた位置が分かるよう構成した粘着シートを提供することにある。
【課題を解決するための手段】
【０００７】
上記目的を達成するために、本発明による粘着シートは、シート基材と、このシート基材の一方の面の少なくとも一部に形成された再剥離可能なシート粘着剤層と、シート粘着剤層があるシート基材の面の一部に剥離可能に付着されたマーカー基材と、マーカー基材の、シート基材とは反対側の面に形成されたマーカー粘着剤層とを備え、被着面にシート基材を貼り付けた後、シート基材を被着面から剥離した場合に、マーカー基材が前記被着面に残るように構成したことを特徴としている。
【０００８】
この構成においては、シート基材を被着面から剥離すると、マーカー基材が被着面に残るため、被着面上のマーカー基材を目標にしてシート基材の再貼付の位置調整を行うことができる。
【０００９】
なお、マーカー基材がシート粘着剤層を介してシート基材に付着された場合には、被着面に対するマーカー粘着剤層の付着力をマーカー基材に対するシート粘着剤層の付着力よりも大きくすることで、シート基材を被着面から剥離した場合に、マーカー基材を被着面に残すことができる。
【００１０】
また、シート基材の再貼付時には、マーカー基材はシート基材の裏面側に隠れるため、マーカー基材に隣接するシート基材及びシート粘着剤層の部分は、表面側から裏面側を視認することができるようになっていることが好適である。
【発明の効果】
【００１１】
上述したような本発明の粘着シートによれば、シート基材を貼り付けた後に剥がしても、前に貼り付けた位置が、被着面上に残るマーカー基材により分かるため、シート基材を正確に且つ容易に元の位置に配置することができる。
【図面の簡単な説明】
【００１２】
【図１】本発明による粘着シートを概略的に示す図であり、（Ａ）は平面図、（Ｂ）は（Ａ）のＩ−Ｉ線に沿っての断面図である。
【図２】図１の粘着シールの使用手順を示す図である。
【図３】本発明による粘着シートの保管態様の一例を概略的に示す図である。
【図４】本発明による粘着シートの変形例を概略的に示す図であり、（Ａ）は平面図、（Ｂ）は（Ａ）のIV−IV線に沿っての断面図である。
【図５】本発明による粘着シートの更に別の変形例を概略的に示す図であり、（Ａ）は平面図、（Ｂ）は（Ａ）のＶ−Ｖ線に沿っての断面図である。
【発明を実施するための形態】
【００１３】
以下、図面を参照して本発明の好適な実施形態について詳細に説明する。なお、全図中、同一又は相当部分には同一符号を付し、その重複した説明は省略する。
【００１４】
図１は、本発明による粘着シートの一実施形態を概略的に示す図であり、（Ａ）はその平面図であり、（Ｂ）は（Ａ）のＩ−Ｉ線に沿っての断面図である。図示の粘着シート１０は、その主構成要素である矩形のシート基材１２を備える。
【００１５】
シート基材１２は、従来一般の粘着シートと同等のものを用いることができるが、本実施形態では、透明若しくは半透明、又は、透かすことで表面側から裏面側を視認することのできる材料（以下「透光性材料」と総称する）からなり、例えばトレーシングペーパーやグラシン紙等の紙、或いは、ポリエステルやポリプロピレン等の合成樹脂製のシート材から構成されている。
【００１６】
シート基材１２には色が付けられていても、印刷が施されていてもよい。また、文字や記号等をシート基材１２の表面に書くことができるよう構成されていることが好ましいが、文字等の記入を要しない用途では、特にその必要性はない。
【００１７】
シート基材１２の裏面には、一方の短辺から一定の距離の部分に粘着剤がコーティングされており、シート粘着剤層１４が形成されている。シート粘着剤層１４は、この粘着シート１０が貼り付けられると想定される被着面に対して再剥離性及び再貼付性を有しており、例えばアクリル系又はゴム系の粘着剤からなる。また、シート粘着剤層１４を構成する材料も透光性材料となっている。
【００１８】
また、シート粘着剤層１４の、シート基材１２とは反対側の面には、その一部にマーカー基材１６が剥離可能に付着されている。図示実施形態では、マーカー基材１６は矩形であり、シート基材１２の２つの角部に相当する部分に配置されている。マーカー基材１６は、紙や合成樹脂のシート材から構成されており、その表面にはマーキング用の色、記号、線が施されることが好ましい。必要に応じて、複写機に写りにくい色・濃度の印刷を選択することもできる。このマーカー基材１６は、シート基材１２及びシート粘着剤層１４が透光性材料から構成されているため、シート基材１２の表面から見ることができる。
【００１９】
マーカー基材１６の、シート粘着剤層１４とは反対側の面には、好ましくはその全面に、マーカー粘着剤層１８が形成されている。マーカー粘着剤層１８は、例えばアクリル系又はゴム系等の粘着剤から構成される。また、被着面に対するマーカー粘着剤層１８の付着力は、マーカー基材１６に対するシート粘着剤層１４の付着力よりも大きくされている。具体的には、例えば、シート粘着剤として「再剥離性の粘着剤」、マーカー粘着剤として「非再剥離性の粘着剤」又は「強粘着タイプの再剥離性粘着剤」を使用するか、同一の粘着剤を使用しながらもマーカー基材表面に剥離処理を施し、被着面への付着力に差を持たせることで、被着面に対するマーカー粘着剤層１８の付着力を、マーカー基材１６に対するシート粘着剤層１４の付着力よりも大きくすることができる。
【００２０】
次に、図２を参照して本発明の粘着シート１０の使用方法について説明する。
【００２１】
まず、書類等の被着面２０の所望箇所に粘着シート１０を貼り付ける（図２の（Ａ））。この状態では、シート粘着剤層１４の一部とマーカー粘着剤層１８が被着面２０に付着している。粘着シート１０が貼り付けられたならば、必要に応じてシート基材１２の表面に文字や記号等を書き込む。
【００２２】
次いで、粘着シート１０を被着面２０から除去する必要がある場合、シート基材１２を持って引っ張ると、被着面２０に対するマーカー粘着剤層１８の付着力がマーカー基材１６に対するシート粘着剤層１４の付着力よりも大きくされているため、シート基材１２はマーカー基材１６及び被着面２０から剥離され、マーカー基材１６はそのままの位置で被着面２０上に残る（図２の（Ｂ））。
【００２３】
この後、再び、剥がしたシート基材１２を元の位置に戻す場合には、被着面２０上に残っているマーカー基材１６を基準にしてシート基材１２を被着面２０に貼り付ければよい。すなわち、シート基材１２を通してマーカー基材１６の位置を確認しながらシート基材１２の位置調整を行い、マーカー基材１６がシート基材１２の元の位置となったならば、シート基材１２のシート粘着剤層１４を被着面２０に押し付ければよい。このように、マーカー基材１６が被着面２０に残されるため、極めて正確に且つ容易にシート基材１２を元の位置に貼り直すことができる。
【００２４】
なお、上述した粘着シート１０を保管する場合は、図１の（Ｂ）において二点鎖線で示すように剥離シート２２を付着させることが考えられる。この場合、剥離シート２２を剥がした際に剥離シート２２にマーカー基材１６が付着しないよう、剥離シート２２に対するマーカー粘着剤層１８の付着力をマーカー基材１６に対するシート粘着剤層１４の付着力よりも小さくする必要がある。
【００２５】
また、図示しないが、複数の粘着シート１０を積層した状態で保管することもできる。この場合は、シート基材１２の表面を易剥離処理して、下側の粘着シート１０におけるシート基材１２の表面に対する上側の粘着シート１０におけるマーカー粘着剤層１８の付着力を、マーカー基材１６に対するシート粘着剤層１４の付着力よりも小さくする必要がある。易剥離処理としては、易剥離剤を用いる方法の他、エンボス加工、サンド加工等の物理的に剥離を行ないやすくする方法も含まれる。
【００２６】
さらに、図３に示すように、粘着シート１０をミシン目等の弱化線２４を介して直列につなげ、ロール状に巻いた状態で保管することとしてもよい。この場合も、シート基材１２の表面を易剥離処理しておく必要がある。
【００２７】
以上、本発明の好適な実施形態について詳細に説明したが、本発明は上記実施形態に限られないことは言うまでもない。
【００２８】
例えば、上記実施形態では、シート基材１２及びシート粘着剤層１４全体が透光性材料からなるものとしているが、マーカー基材１６が位置する部分だけがシート基材１２を通して視認できるような構成としてもよい。また、マーカー基材１６の形状及び位置によっては、シート基材１２全体が不透明であってもよい。例えば、上記実施形態ではマーカー基材１６は矩形であり、シート基材１２の角部に位置しているが、この場合、シート基材１２が不透明であっても、位置合わせは可能である。さらに、マーカー基材１６をシート粘着剤層１４の領域と同じサイズ又はそれよりも大きなサイズとし、被着面に対してシート粘着剤層１４が接しない態様も考えられる。
【００２９】
また、マーカー基材１６の位置、個数、形状及び大きさは上記実施形態のものに限られず、適宜選択可能である。
【００３０】
本発明の変形例である図４及び図５に示すように、マーカー基材１６をシート基材１２に直接付着させてもよい。すなわち、図４に示す形態は、マーカー基材１６が配置される領域にはシート粘着剤層１４を形成せず、別の粘着剤２６によってマーカー基材１６をシート基材１２に剥離可能に付着させたものである。図５に示す形態は、マーカー基材１６をシート粘着剤層１４とは別の位置に配置したものである。いずれの場合も、粘着剤２６の付着力を調整することで、シート基材１２を被着面に貼り付けた後、シート基材１２を被着面から剥がした場合に、マーカー基材１６を被着面に残すことができる。
【００３１】
なお、マーカー基材１６自体が粘着性を有する必要は少ないため、被着面に残置されたマーカー基材１６の表面に粘着剤２６が残らないようにしたり、或いは、マーカー基材１６の表面に粘着剤２６が残ったとしても、シート基材１２から剥がれた後は粘着剤２６の粘着性がなくなるようにしたりすることが好適である。前者の態様としては、例えば、層間剥離が可能な多層シートをマーカー基材１６として用い、被着面に貼り付けるまではシート基材１２に一体的になっているものの、被着面に貼り付けた後、一旦シート基材１２から剥離させた場合には、シート基材１２には再び貼り付かないという態様も含むものである。勿論、用途によっては、マーカー基材１６の表面に残った粘着剤２６が、シート基材１２から剥がれた後も粘着性を維持するようにしてもよい。
【００３２】
さらに、シート粘着剤層１４が形成される位置や大きさも用途により様々であり、シート基材１２の全面に形成してもよい。
【００３３】
本発明による粘着シートの用途も種々考えられる。例えば、ポスターや食堂のメニュー等の掲示物、暗記用のマスキングシート、医療用の粘着テープ等に本発明を適用することができる。医療用粘着テープの場合、その中央部に薬品投与用のマイクロニードルを備えるものがあるが、そのような粘着テープを交換する際、可能な限り同じ位置に新しい粘着テープを貼りたい場合がある。本発明の構成はかかる要請に応えるものである。なお、交換のための新しい粘着テープはマーカー基材がなくてもよく、マーカー基材が被着面から離れない限り、通常の粘着テープを用いることができる。
【符号の説明】
【００３４】
１０…粘着シート、１２…シート基材、１４…シート粘着剤層、１６…マーカー基材、１８…マーカー粘着剤層、２０…被着面、２２…剥離シート、２４…弱化線、２６…
【図３】
2014028897.tif 000003
【図１】
2014028897.tif 000004
【図２】
2014028897.tif 000005
【図４】
2014028897.tif 000006
【図５】
2014028897.tif 000007